(57)【特許請求の範囲】
【請求項１】
左眼用映像及び右眼用映像を表示するイメージ表示部と；
前記イメージ表示部のいずれか一面に対向配置されて、前記イメージ表示部に表示される映像を使用者の左眼方向と右眼方向とに分離するパララックスバリアと；
を含み、
前記パララックスバリアは、
第１基板と；
前記第１基板上に所定の間隔をおいて形成される複数の第１電極と；
前記複数の第１電極を相互連結するよう配置される第１連結電極と；
前記第１連結電極の一側に連結配置される第１端子電極と；
前記第１端子電極に連結されて、前記第１電極及び前記第１連結電極に電圧を印加する第１連結端子と；
前記第１電極の相互間に配置される第２電極と；
前記第２電極に電気的に連結される第２連結電極と；
前記第２連結電極の一側に連結して電圧を印加する第２連結端子と；
前記第１基板に対して対向配置される第２基板と；
前記第２基板上に形成される共通電極と；
前記第１基板と前記第２基板との間に配置される液晶層と；
を含み、
前記第１連結端子と前記第２連結端子とには、同一の電圧が印加され、
前記第１端子電極は、前記第１端子電極の電気抵抗によって発生する電圧降下を小さくするために、前記第１電極及び前記第２電極のいずれよりも低い電気抵抗を有することを特徴とする、立体映像表示装置。
【請求項２】
前記第１端子電極は、前記第１電極及び前記第２電極と同じ材料で形成され、前記第１電極及び前記第２電極より大きい幅を有することを特徴とする、請求項１に記載の立体映像表示装置。
【請求項３】
前記第１端子電極は、前記第１電極及び前記第２電極より低い比抵抗を有する材料で形成されることを特徴とする、請求項１に記載の立体映像表示装置。
【請求項４】
前記第２連結電極は、前記第２連結端子に連結され、前記第２電極に印加される電圧を下げる補助連結電極を含むことを特徴とする、請求項１〜３のいずれかに記載の立体映像表示装置。
【請求項５】
左眼用映像及び右眼用映像を表示するイメージ表示部と；
前記イメージ表示部のいずれか一面に対向配置されて、前記イメージ表示部に表示される映像を使用者の左眼方向と右眼方向とに分離するパララックスバリアと；
を含み、
前記パララックスバリアは、
第１基板と；
前記第１基板上に所定の間隔をおいて形成される複数の第１電極と；
前記第１電極に電気的に連結される第１連結電極と；
前記第１電極及び第１連結電極に電圧を印加する第１連結端子と；
前記第１連結電極及び前記第１連結端子に電気的に連結される第１端子電極と；
前記第１電極の相互間に配置される第２電極と；
前記第２電極に電気的に連結される第２連結電極と；
前記第２連結電極の一側に連結して、前記第２電極及び第２連結電極に電圧を印加する第２連結端子と；
前記第１基板に対して対向配置される第２基板と；
前記第２基板上に形成される共通電極と；
前記第１基板と前記第２基板との間に配置される液晶層と；
を含み、
前記第１連結端子と前記第２連結端子とには、同一の電圧が印加され、
前記第２連結電極は、前記第１連結電極より高い電気抵抗を有し、前記第１端子電極の電気抵抗によって発生する電圧降下を相殺することを特徴とする、立体映像表示装置。
【請求項６】
前記第２連結電極は、前記第１連結電極と同じ材料に形成され、前記第１電極より小さい幅を有することを特徴とする、請求項５に記載の立体映像表示装置。
【請求項７】
前記第２連結電極は、前記第１連結電極より高い比抵抗を有する材料で形成されることを特徴とする、請求項５に記載の立体映像表示装置。
【請求項８】
前記第２連結電極は、前記第２連結端子に連結され、前記第２電極に印加される電圧を下げる補助連結電極をさらに含むことを特徴とする、請求項５〜７のいずれかに記載の立体映像表示装置。
【請求項９】
左眼用映像及び右眼用映像を表示するイメージ表示部と；
前記イメージ表示部のいずれか一面に対向配置されて、前記イメージ表示部に表示される映像を使用者の左眼方向と右眼方向とに分離するパララックスバリアと；
を含み、
前記パララックスバリアは、
第１基板と；
前記第１基板上に第１方向に沿って所定の間隔をおいて形成される複数の第１電極と；
前記第１電極に電気的に連結される第１連結電極と；
前記第１電極及び第１連結電極に電圧を印加する第１連結端子と；
前記第１連結電極及び前記第１連結端子に電気的に連結される第１端子電極と；
前記第１電極の相互間に配置される第２電極と；
前記第２電極に電気的に連結される第２連結電極と；
前記第２電極及び第２連結電極に電圧を印加する第２連結端子と；
前記第１基板に対して対向配置される第２基板と；
前記第２基板上に前記第１方向に対して垂直である第２方向に沿って所定の間隔をおいて形成される複数の第３電極と；
前記第３電極に電気的に連結される第３連結電極と；
前記第３電極及び第３連結電極に電圧を印加する第３連結端子と；
前記第３電極の相互間に配置される第４電極と；
前記第４電極に電気的に連結される第４連結電極と；
前記第４電極及び第４連結電極に電圧を印加する第４連結端子と；
前記第４連結電極及び前記第４連結端子に電気的に連結される第４端子電極と；
前記第１基板と前記第２基板との間に配置される液晶層と；
を含み、
前記第１連結端子と前記第２連結端子とには、同一の電圧が印加され、
前記第１電極及び前記第２電極は、互いに同じ幅を有し、前記第１端子電極は、前記第１端子電極の電気抵抗によって発生する電圧降下を小さくするために、前記第１電極及び前記第２電極より低い電気抵抗を有し、
前記第３連結端子と前記第４連結端子とには、同一の電圧が印加され、
前記第３電極及び前記第４電極は、互いに同じ幅を有し、前記第４端子電極は、前記第４端子電極の電気抵抗によって発生する電圧降下を小さくするために、前記第３電極及び前記第４電極より低い電気抵抗を有することを特徴とする、立体映像表示装置。
【請求項１０】
前記第１端子電極は、前記第１電極及び前記第２電極と同じ材料で形成され、前記第１電極及び前記第２電極より大きい幅を有し、
前記第４端子電極は、前記第３電極及び前記第４電極と同じ材料で形成され、前記第３電極及び前記第４電極より大きい幅を有することを特徴とする、請求項９に記載の立体映像表示装置。
【請求項１１】
前記第１端子電極は、前記第１電極及び前記第２電極より低い比抵抗を有する材料で形成され、
前記第４端子電極は、前記第３電極及び前記第４電極より低い比抵抗を有する材料で形成されることを特徴とする、請求項９に記載の立体映像表示装置。
【請求項１２】
前記第２連結電極は、前記第２連結端子に連結され、前記第２電極に印加される電圧を下げる第２補助連結電極を含み、
前記第３連結電極は、前記第３連結端子に連結され、前記第３電極に印加される電圧を下げる第３補助連結電極を含むことを特徴とする、請求項９〜１１のいずれかに記載の立体映像表示装置。
【請求項１３】
前記左眼用映像と前記右眼用映像とが時分割されて駆動されることを特徴とする、請求項１〜１２のいずれかに記載の立体映像表示装置。
【発明の詳細な説明】
【技術分野】
【０００１】
本発明は、立体映像表示装置に関し、より詳しくはパララックスバリアを使用するオートステレオスコピ方式の立体映像表示装置に関する。
【背景技術】
【０００２】
立体映像表示装置は、使用者の左眼及び右眼に互いに異なるイメージを提供して、使用者が見る映像に距離感及び立体感を感じさせる方式であり、この方式には、ステレオスコピ方式及びオートステレオスコピ方式がある。
【０００３】
最近は、装置使用者が偏光眼鏡のような装備を着用せずに立体映像を視聴できるオートステレオスコピ方式が、活発に開発されている。
【０００４】
通常のオートステレオスコピ装置は、イメージ表示部の前面にパララックスバリア、レンチキュラーレンズまたはマイクロレンズアレイ等を備えて、イメージ表示部に表示されたイメージを空間分割する方式を採択している。
【０００５】
特に、パララックスバリアは、透過型液晶表示素子を応用した液晶シャッターで構成され、この場合、２次元モードと３次元モードとの変換が可能な長所があり、ノートパソコンやモバイル電話などに容易に適用される。
【０００６】
通常のパララックスバリアは、ディスプレイイメージ表示部の縦方向に沿って、長く配列された帯形状の光遮断部及び光透過部で構成される。
【０００７】
このようなパララックスバリアは、イメージ表示部でサブピクセル別またはピクセル別に分離されて表示された、左眼用映像及び右眼用映像を、光透過部を通して、選択的に使用者の左眼方向と右眼方向とに分離させる。
【０００８】
このようなパララックスバリア方式の立体映像表示装置は、一般にディスプレイのピクセルに入力される左右映像信号によって、左右眼映像を示し、左眼用及び右眼用の映像をバリアを利用して空間的に分離する。
【０００９】
しかし、上記立体映像表示装置では、左眼用映像と右眼用映像とが空間的に分割されて使用者の両眼に提供されるため、解像度が既存の２次元に表示される映像の解像度に比べて半分に低下される。
【００１０】
このような問題を解決するために、時分割駆動方式の立体映像表示装置が開発された。
【００１１】
時分割方式の立体映像表示装置は、イメージ表示部で左眼用映像と右眼用映像とのパターンを一定の時間間隔をおいて互いに交換して表示すると同時に、これに対応してパララックスバリアの光遮断部と光透過部とのパターンを互いに交換して形成する。よって時分割方式の立体映像表示装置は、空間分割方式に比べて解像度が低下しない立体映像を表示することができる。
【００１２】
時分割駆動時イメージ表示部では、第１期間の間、所定のパターンを有する左眼用映像及び右眼用映像が形成された第１映像を示し、第２期間の間、上記所定のパターンを有する左眼用イメージと右眼用イメージとが逆に形成された第２映像を表示する。
【００１３】
このために、パララックスバリアを構成する液晶シャッターは、イメージ表示部に形成される左眼用映像と右眼用映像とに対応する形状の第１電極と第２電極とを形成し、イメージ表示部の駆動に対応して、第１電極と第２電極とに交互に駆動電圧が印加される。
【００１４】
このとき、第１電極及び第２電極は、帯形状を有して交互に反復配置されるが、立体映像表示装置の時分割駆動時に、使用者が第１期間と第２期間との間に、同じ輝度を有する映像を見るためには、第１電極及び第２電極に同じ電圧が印加されて、光透過部が同じ光透過度を維持しなければならない。
【発明の開示】
【発明が解決しようとする課題】
【００１５】
しかし、従来の時分割方式の立体映像表示装置は、第１電極及び第２電極の電極構造による電圧降下現象によって、実際には同じ光透過度を維持することが難しく、立体映像の画質が低下する問題がある。
【００１６】
そこで、本発明は上記問題に鑑みてなされたものであり、本発明の目的は、立体映像表示装置の駆動時に各電極に対応する部位で、同じ光透過度を維持させることが可能な、新規かつ改良された立体映像表示装置を提供することにある。
【課題を解決するための手段】
【００１７】
上記課題を解決するために、本発明のある観点によれば、左眼用映像及び右眼用映像を表示するイメージ表示部と、イメージ表示部のいずれか一面に対向配置されて、イメージ表示部に表示される映像を使用者の左眼方向と右眼方向とに分離するパララックスバリアと、を含み、パララックスバリアは、第１基板と、第１基板上に所定の間隔をおいて形成される複数の第１電極と、複数の第１電極を相互連結するよう配置される第１連結電極と、第１連結電極の一側に連結配置される第１端子電極と、第１端子電極に連結されて、第１電極及び第１連結電極に電圧を印加する第１連結端子と、第１電極の相互間に配置される第２電極と、第２電極に電気的に連結される第２連結電極と、第２連結電極の一側に連結して電位を印加する第２連結端子と、第１基板に対して対向配置される第２基板と、第２基板上に形成される共通電極と、第１基板と第２基板との間に配置される液晶層と、を含み、第１端子電極は、第１電極及び第２電極のいずれよりも低い電気抵抗を有することを特徴とする、立体映像表示装置が提供される。
【００１８】
また、第１端子電極は、第１電極及び第２電極と同じ材料で形成され、第１電極及び第２電極より大きい幅を有するとしてもよい。
【００１９】
また、第１端子電極は、第１電極及び第２電極より低い比抵抗を有する材料で形成されてもよい。
【００２０】
また、第２連結電極は、第２連結端子に連結され、第２電極に印加される電圧を下げる補助連結電極を含むとしてもよい。
【００２１】
また、上記課題を解決するために、本発明の別の観点によれば、左眼用映像及び右眼用映像を表示するイメージ表示部と、イメージ表示部のいずれか一面に対向配置されて、イメージ表示部に表示される映像を使用者の左眼方向と右眼方向とに分離するパララックスバリアと、を含み、パララックスバリアは、第１基板と、第１基板上に所定の間隔をおいて形成される複数の第１電極と、第１電極に電気的に連結される第１連結電極と、第１電極及び第１連結電極に電圧を印加する第１連結端子と、第１連結電極及び第１連結端子に電気的に連結される第１端子電極と、第１電極の相互間に配置される第２電極と、第２電極に電気的に連結される第２連結電極と、第２電極及び第２連結電極に電圧を印加する第２連結端子と、第１基板に対して対向配置される第２基板と、第２基板上に形成される共通電極と、第１基板と第２基板との間に配置される液晶層と、を含み、第２連結電極は、第１連結電極より高い電気抵抗を有することを特徴とする、立体映像表示装置が提供される。
【００２２】
また、第２連結電極は、第１連結電極と同じ材料に形成され、第１電極より小さい幅を有するとしてもよい。
【００２３】
また、第２連結電極は、第１連結電極より高い比抵抗を有する材料で形成されてもよい。
【００２４】
また、第２連結電極は、第２連結端子に連結され、第２電極に印加される電圧を下げる補助連結電極をさらに含むとしてもよい。
【００２５】
また、上記課題を解決するために、本発明の別の観点によれば、左眼用映像及び右眼用映像を表示するイメージ表示部と、イメージ表示部のいずれか一面に対向配置されて、イメージ表示部に表示される映像を使用者の左眼方向と右眼方向とに分離するパララックスバリアと、を含み、パララックスバリアは、第１基板と、第１基板上に第１方向に沿って所定の間隔をおいて形成される複数の第１電極と、第１電極に電気的に連結される第１連結電極と、第１電極及び第１連結電極に電圧を印加する第１連結端子と、第１連結電極及び第１連結端子に電気的に連結される第１端子電極と、第１電極の相互間に配置される第２電極と、第２電極に電気的に連結される第２連結電極と、第２電極及び第２連結電極に電圧を印加する第２連結端子と、第１基板に対して対向配置される第２基板と、第２基板上に第１方向に対して垂直である第２方向に沿って所定の間隔をおいて形成される複数の第３電極と、第３電極に電気的に連結される第３連結電極と、第３電極及び第３連結電極に電圧を印加する第３連結端子と、第３電極の相互間に配置される第４電極と、第４電極に電気的に連結される第４連結電極と、第４電極及び第４連結電極に電圧を印加する第４連結端子と、第４連結電極及び第４連結端子に電気的に連結される第４端子電極と、第１基板と第２基板との間に配置される液晶層と、を含み、第１電極及び第２電極は、互いに同じ幅を有し、第１端子電極は第１電極及び第２電極より低い電気抵抗を有し、第３電極及び第４電極は、互いに同じ幅を有し、第４端子電極は第３電極及び第４電極より低い電気抵抗を有することを特徴とする、立体映像表示装置が提供される。
【００２６】
また、第１端子電極は、第１電極及び第２電極と同じ材料で形成され、第１電極及び第２電極より大きい幅を有し、第４端子電極は、第３電極及び第４電極と同じ材料で形成され、第３電極及び第４電極より大きい幅を有するとしてもよい。
【００２７】
また、第１端子電極は、第１電極及び第２電極より低い比抵抗を有する材料で形成され、第４端子電極は、第３電極及び第４電極より低い比抵抗を有する材料で形成されてもよい。
【００２８】
また、第２連結電極は、第２連結端子に連結され、第２電極に印加される電圧を下げる第２補助連結電極を含み、第３連結電極は、第３連結端子に連結され、第３電極に印加される電圧を下げる第３補助連結電極を含むとしてもよい。
【００２９】
また、左眼用映像と右眼用映像とが時分割されて駆動されてもよい。
【００３０】
上記発明によれば、各電極の経路差に応じた電圧降下を均一なものにすることができ、電圧が印加されたパララックスバリアの光透過部の光透過度を均一なものにすることができる。
【発明の効果】
【００３１】
以上説明したように、本発明によれば、立体映像表示装置の駆動時に各電極に対応する部位で、同じ光透過度を維持できる。
【発明を実施するための最良の形態】
【００３２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３３】
（第１の実施形態）
まず、図１〜図３Ｂを参照しながら、本発明の第１の実施形態に係る立体映像表示装置について説明する。図１は、本発明の第１実施形態による立体映像表示装置を示す断面図である。
【００３４】
図１に示すように、本実施形態による立体映像表示装置は、イメージ表示部１００及びパララックスバリア２００を含む。
【００３５】
イメージ表示部１００は、所定のパターンを有する左眼用映像及び右眼用映像を表示する。この場合、イメージ表示部１００に表示される左眼用映像のパターンと右眼用映像のパターンとは、互いに異なる第１映像と第２映像として、映像システムごとにシステム所定の周波数で繰り返し表示される。
【００３６】
イメージ表示部１００としては、従来の全ての表示装置を用いることができる。
【００３７】
例えば、イメージ表示部１００は、陰極線管（ＣＲＴ）、液晶表示素子（ＬＣＤ）、プラズマディスプレイパネル（ＰＤＰ）、電界放出表示装置（ＦＥＤ）または有機電界発光素子（ＯＬＥＤ）のうちのいずれか一つを用いることができる。
【００３８】
また、パララックスバリア２００は、液晶シャッターを用いて形成することができる。
【００３９】
具体的にパララックスバリア２００の構成を説明すると、パララックスバリア２００は、任意の間隔を間において、相互対向して配置される第１基板１０と第２基板１２とを含む。
【００４０】
第１基板１０及び第２基板１２は、一対の短辺と長辺を有する長方形のガラス基板で形成されることができる。
【００４１】
この際、第１基板１０と第２基板１２とが互いに対向する各々の面には、第１基板１０と第２基板１２との間に配置される液晶層２２を駆動させるため、各種電極が導電性物質で形成される。
【００４２】
上記各種電極として、第１基板１０には、第１電極１４及び第２電極１６が形成され、第２基板１２には、共通電極１８が形成される。
【００４３】
上記各種電極は、例えば、インジウム錫酸化物（ＩＴＯ）のような透明な導電性物質で構成される。また、第１基板１０と第２基板１２との各々の外面には、一対の偏光板２４が配置される。
【００４４】
以下で、図２を参照しながら、第１電極１４及び第２電極１６の具体的な構造について説明する。
【００４５】
図２は、本実施形態の第１基板１０に形成された、第１電極１４及び第２電極１６の構造を示す平面図である。
【００４６】
図２に示すように、第１基板１０の上に形成される複数の第１電極１４は、第１基板１０の長辺に対応する方向（図２のＹ軸方向）に沿って延長形成される。
【００４７】
第１電極１４は、帯状パターンで形成される。また第１電極１４は、それぞれの第１電極１４の間に任意の間隔をおいて相互平行して、第１基板１０に配列される。
【００４８】
また、第１基板１０の上には、複数の第１電極１４の全てに電気的に連結される第１連結電極１４ａが、第１基板１０の短辺に対応する方向（図２のＸ軸方向）に沿って延長形成されて、複数の第１電極１４の全ての一端に連結される。
【００４９】
また、第１連結電極１４ａの一端部には、第１電極１４と平行方向に第１端子電極１４ｂが形成される。
【００５０】
上記第１端子電極１４ｂの一端部には、第１連結端子１４ｃが形成されて、第１端子電極１４ｂを通じて、第１連結電極１４ａ及び第１電極１４に電圧を印加する。
【００５１】
同様に、第１基板１０上には、複数の第２電極１６と、複数の第２電極１６の全てに電気的に連結される第２連結電極１６ａと、が形成される。
【００５２】
具体的には、第１基板１０の上に形成される第２電極１６は、第１基板１０の長辺に対応する方向（図２のＹ軸方向）に沿って延長形成される。
【００５３】
上記の第２電極１６は、帯状パターンで形成されながら、第１電極１４の間に各々配列される。
【００５４】
また、第１基板１０の上には、第２連結電極１６ａが上記基板１０の短辺に対応する方向に沿って長く延長され、複数の第２電極１６の全ての一端に連結される。
【００５５】
また、第２連結電極１６ａの一端部には、第２連結端子１６ｃが形成されて、複数の第２電極１６及び第２連結電極１６ａに電圧を印加する。
【００５６】
この際、第１端子電極１４ｂの幅（ｗ１）は、第１電極１４及び第２電極１６の幅（ｗ２、ｗ３）より大きく形成される。（図２参照。）
【００５７】
続いて、以下で、図３Ａ及び図３Ｂを参照して、イメージ表示部のピクセル配列及び作動について説明する。
【００５８】
図３Ａと図３Ｂとの各々は、本実施形態における、それぞれ、第１期間（ｔ１）と第２期間（ｔ２）とでのイメージ表示部ピクセル配列を示す概略図である。イメージ表示部１００には、第１ピクセル３０及び第２ピクセル３２が、画面の横方向（図３ＡのＸ軸方向）に沿って交互に反復配置される。また、第１ピクセル３０と第２ピクセル３２とは、画面の縦方向（図面のＹ軸方向）に沿って延長形成されるサブピクセルで構成される。
【００５９】
図３Ａに示したように、第１期間（ｔ１）には第１ピクセル３０は、左眼用映像信号に対応して左眼用映像（ＬＲ、ＬＧ、ＬＢ）を表示する。また、第２ピクセル３２は、右眼用映像信号に対応して右眼用映像（ＲＲ、ＲＧ、ＲＢ）を表示する。このように第１期間（ｔ１）の間にイメージ表示部には、第１映像が表示される。
【００６０】
また、イメージ表示部が、第１映像を表示する第１期間（ｔ１）において、第１電極１４には、第１連結端子１４ｃ、第１端子電極１４ｂ及び第１連結電極１４ａを通じて液晶駆動電圧が印加され、第２電極１６には、第２連結端子１６ｃ及び第２連結電極１６ａを通じて、基準電圧、例えば接地電圧が印加される。また、共通電極１８に基準電圧が印加される。
【００６１】
したがって、パララックスバリア２００が、ノーマリーホワイトモードの液晶シャッターの場合、液晶駆動電圧が印加される第１電極１４の形成部位が、光遮断部になり、基準電圧が印加される第２電極１６の形成部位が、光透過部となる。
【００６２】
また、図３Ｂに図示したように、第２期間（ｔ２）には、第１期間（ｔ１）とは逆に、第１ピクセル３０に右眼用映像信号に対応して右眼用映像（ＲＲ、ＲＧ、ＲＢ）を表示し、第２ピクセル３２には左眼用映像信号に対応して左眼用映像（ＬＲ、ＬＧ、ＬＢ）を表示する。このように第２期間（ｔ２）の間にイメージ表示部には第２映像が表示される。
【００６３】
イメージ表示部が第２映像を表示する第２期間（ｔ２）には、第１電極１４に、第１連結端子１４ｃ、第１端子電極１４ｂ及び第１連結電極１４ａを通じて基準電圧が印加され、第２電極１６には、第２連結端子１６ｃ及び第２連結電極１６ａを通じて液晶駆動電圧が印加される。また、共通電極１８には基準電圧が印加される。
【００６４】
したがって、パララックスバリア２００がノーマリーホワイトモードの液晶シャッターの場合、液晶駆動電圧が印加される第２電極１６の形成部位が、光遮断部となり、基準電圧が印加される第１電極１４の形成部位が、光透過部となる。
【００６５】
上記イメージ表示部１００及びパララックスバリア２００電極の駆動によって、使用者の左眼は、第１期間（ｔ１）に第１ピクセル３０のイメージを見るようになり、第２期間（ｔ２）に第２ピクセル３２のイメージを見るようになる。また、使用者の右眼は、これとは逆に、第１期間（ｔ１）に第２ピクセル３２のイメージを見るようになり、第２期間（ｔ２）に第１ピクセル３０のイメージを見るようになる。したがって、使用者は２次元モードのような解像度を有する立体映像を見ることができる。
【００６６】
上記の場合、使用者に、より自然な立体映像を提供するためには、第１期間（ｔ１）と第２期間（ｔ２）との間に、互いに逆に形成される光遮断部または光透過部のパターンにおいて、第１期間（ｔ１）に形成される光遮断部は、第２期間（ｔ２）に形成される光遮断部と同じ光透過度を維持しなければならず、同様に第１期間（ｔ１）に形成される光透過部は、第２期間（ｔ２）に形成される光透過部と同じ光透過度を維持しなければならない。
【００６７】
このために、第１期間（ｔ１）に第１電極１４に印加される電圧と、第２期間（ｔ２）に第２電極１６に印加される電圧との大きさは、互いに同じでなければならない。
【００６８】
しかし、図２に示すように、各々第１連結端子１４ｃと第２連結端子１６ｃとから、第１電極１４と第２電極１６とに至る経路には差がある。つまり、第１連結端子１４ｃと第２連結端子１６ｃとに同じ信号電圧が印加されると仮定すると、第１電極１４には、第１端子電極１４ｂを経て第１連結電極１４ａまで到達する過程で、第１端子電極１４ｂの抵抗による電圧降下が発生し、第２電極１６に比べて、実質的に低い電圧が印加される。この際、第１端子電極１４ｂの抵抗は、下記の式１によって定められる。
【００６９】
（式１）
Ｒ=ρ（ｌ／Ａ）
【００７０】
ここで、Ｒは第１端子電極１４ｂの電気抵抗を示す。また、ρは材料固有の比電気抵抗を示す。そして、ｌは長さ、Ａは断面積を示す。
【００７１】
したがって、第１端子電極１４ｂの抵抗（Ｒ）を低くする場合には、このような信号伝達時の電圧降下の影響が相対的に減って、第１電極１４に印加される電圧と、第２電極１６に印加される電圧との差を減少させることができる。
【００７２】
図２のように、本実施形態では第１端子電極１４ｂの抵抗（Ｒ）を低くするために第１端子電極１４ｂの幅を相対的に大きく形成する。つまり、上記式１で第１端子電極１４ｂの断面積（Ａ）を大きくすることによって、信号伝達時の電気抵抗（Ｒ）を減少させることができる。
【００７３】
（第２の実施形態）
次に、本発明の第２の実施形態に係る立体映像表示装置について説明する。本実施形態による立体映像表示装置は、第１実施形態とは異なって、第１端子電極１４ａの幅を第１電極１４及び第２電極１６と同一に維持しながら、第１端子電極１４ａを相対的に低い比抵抗（ρ）値を有する材料で形成する。これによって電極の幅を大きくする第１実施形態と類似した効果を得ることができる。
【００７４】
この際、第１電極１４及び第２電極１６は、例えば、透明なインジウム錫酸化物で形成することができ、第１端子電極１４ａは、例えば、これより比抵抗（ρ）が低いＡｇ、Ｃｕなどで形成することができる。本実施形態による立体映像表示装置の他の構成は、前述した第１実施形態の構成と同じであるため、その詳細な説明を省略する。
【００７５】
（第３の実施形態）
次に、図４を参照しながら、本発明の第３の実施形態に係る立体映像表示装置について説明する。図４は、本実施形態による立体映像表示装置の第１電極１４’及び第２電極１６’の構造を示す平面図である。
【００７６】
図４に示しすように、本実施形態では、第１端子電極１４２ｂは、第１電極１４’及び第２電極１６’と同じ幅を有して（ｗ４=ｗ５=ｗ６）、同系統の物質で形成される。ただし、第２連結電極１６２ａは、第１連結電極１４４ｂより小さい幅で形成されて、相対的に高い電気抵抗を有する。（ｗ７<ｗ８）
【００７７】
このように、本実施形態では、第２連結電極１６２ａの電気抵抗を増加させることによって、第１電極１４’において第１端子電極１４２ｂの電気抵抗によって発生する電圧降下を相殺することができる。したがって、第１電極１４’と第２電極１６’とに印加される電圧を同一に維持することができる。
【００７８】
また、第２連結電極１６２ａの幅は第１連結電極１４４ｂの幅と同じようにしながら、相対的に高い比抵抗を有する材料で形成して、電気抵抗を高めることによって、上記の作用を起こすことも可能である。
【００７９】
本実施形態による立体映像表示装置の他の構成は、前述した第１実施形態の構成と同じであるため、その詳細な説明を省略する。また、前述した第１実施形態における、第１電極１４、第１端子電極１４ｂ、第１連結電極１４ａ、第２電極１６及び第２連結電極１６ａは、符号を変えて、第１電極１４’、第１端子電極１４２ｂ、第１連結電極１４４ｂ、第２電極１６’及び第２連結電極１６２ａとするが、上記では、第１実施形態との構成の違いのみを記載する。
【００８０】
（第４の実施形態）
次に、図５を参照しながら、本発明の第４の実施形態に係る立体映像表示装置について説明する。図５は、本実施形態によるパララックスバリアの第１電極１４’’及び第２電極１６’’の構造を示す平面図である。
【００８１】
本実施形態による立体映像表示装置は、第２連結電極１６４ａに、電圧が印加される経路を増加させて電圧降下を起こす、補助連結電極１６６ａ（第２補助連結電極）を設置して、第１電極１４’’及び第２電極１６’’に印加される電圧を同一に維持できる。
【００８２】
第１連結端子１４ｃ及び第２連結端子１６ｃに同じ電圧が印加される場合、第２連結端子１６４ａに印加された電圧は、上記補助連結電極１６６ａと第２連結電極１６４ａとを通じて第２電極１６’’に印加される。よって、上記第１電極１４’’に印加される電圧の電圧降下は、補助連結電極１６６ａによる電圧降下で相殺される。したがって、補助連結電極１６６ａは、第１電極１４’’の電圧降下を考慮して、その電極の長さ、幅及び材質を決定することができる。
【００８３】
この際、第２電極１６’’に印加される電圧を下げるための補助連結電極１６６ａの形状は、図示されたものに限定されず、電圧が印加される経路を増加させるための多様な形状にすることができる。
【００８４】
一方、本発明の第４実施形態による立体映像表示装置の他の構成は、前述した第１実施形態と同じであるため、その詳細な説明は省略する。また、前述した第１実施形態における、第１電極１４、第２電極１６及び第２連結電極１６ａは、符号を変えて、第１電極１４’’、第２電極１６’’及び第２連結電極１６４ａとするが、上記では、第１実施形態との構成の違いのみを記載する。
【００８５】
また、第１電極と第２電極とに印加される電圧差をより微細に調整するために、第１〜第４実施形態で説明した第１端子電極の電気抵抗を低くする方法と第２連結電極の電気抵抗を高める方法とを同時に適用することも可能である。
【００８６】
すなわち、第１実施形態で説明したように、第１端子電極の電極幅を大きくして第１電極に印加される電圧の電圧降下を防止しながら、第４実施形態で説明したように、第２連結電極が補助連結電極１６６ａを含むことによって第２電極に印加される電圧を下げられる。上記構成によって第１電極及び第２電極に印加される電圧間の差をさらにすくなるすることができる。
【００８７】
（第５の実施形態）
次に、図６を参照しながら、本発明の第５の実施形態に係る立体映像表示装置について説明する。図６は、本実施形態による立体映像表示装置の第３電極３４及び第４電極３６の構造を示す平面図である。
【００８８】
本実施形態による立体映像表示装置の他の構成は、第１実施形態と同じであるため、他の構成についての説明は省略し、主に第３電極３４及び第４電極３６の構造を説明する。
【００８９】
本実施形態の立体映像表示装置は、画面をポートレートで鑑賞する場合に、イメージ表示部に提供されるイメージを分離する第１電極及び第２電極と、画面をランドスケープで鑑賞する場合に、イメージ表示部に提供されるイメージを分離する第３電極３４及び第４電極３６とを備える。
【００９０】
この場合、第１基板上に形成される第１電極及び第２電極の構造は、第１実施形態で説明した構造と同じであるため、その説明を省略する。
【００９１】
図６に示したように、第２基板１２の上に形成される複数の第３電極３４は、第１電極と第２電極とに対して垂直な、第２基板１２の短辺に対応する方向（図５のＸ軸方向、この方向を第1方向とする。）に沿って延長形成される。
【００９２】
第３電極３４は、帯状パターンで形成される。また第１電極１４は、それぞれの第３電極３４の間に任意の間隔をおいて相互平行して、第２基板１２に配列される。
【００９３】
また、第３電極３４に電気的に連結される第３連結電極３４ａが、第３電極３４に対して垂直である第２方向（図５のＹ方向）に沿って形成されて、複数第３電極３４の全ての一端に連結される。
【００９４】
第３連結電極３４ａの端部には第３連結端子３４ｃが形成されて、第３連結電極３４ａを通じて第３電極３４に、電圧を印加する。
【００９５】
複数の第４電極３６は、各々第２基板１２の上に上記第１方向に沿って延長形成され、第３電極３４の間に、各々配列される。また、複数第４電極３６の全ての一端に連結されて第４電極３６に電気的に連結される第４連結電極３６ａが、上記第２方向に沿って長く伸びている。また、第４連結電極３６ａの一端側には第４端子電極３６ｂが、第４電極３６と平行に形成される。
【００９６】
また、第４端子電極３６ｂの一側端には第４連結端子３６ｃが形成されて、第４端子電極３６ｂを通じて、第４電極３６及び第４連結電極３６ａに電圧を印加する。
【００９７】
この際、第４端子電極３６ｂの幅（ｗ９）は、第３電極３４及び第４電極の幅（ｗ１０、ｗ１１）より大きく形成される。
【００９８】
使用者がランドスケープの画面を鑑賞する場合、使用者は、横方向に長く配置されたイメージ表示部１００及びパララックスベリア２００を９０度回転させる。
【００９９】
この場合、イメージ表示部には、ランドスケープ画面に対応するように左眼用ピクセルと右眼用ピクセルとが配列されて、第３電極３４と第４電極３６とにはこれに対応する駆動電圧が印加されて、立体映像表示装置は時分割駆動される。
【０１００】
本実施形態においてランドスケープの立体映像を提供するための駆動方法は、上記した第１実施形態と同じであるため、その詳しい説明を省略する。すなわち、図３Ａ及び図３Ｂにおける、第1ピクセル３０及び第２ピクセル３２は、図３Ａ及び図３ＢのＹ軸方向に長く配置されている。しかし、本実施形態に係るランドスケープの立体映像に対応させ、第1ピクセル３０及び第２ピクセル３２は、図３Ａ及び図３ＢのＸ軸方向に長く配置することで、第２基板１２上の第３電極３４及び第４電極３６に対応した、イメージ表示部１００の部位を、分割しする。また、そのとき表示される、左眼用映像及び右眼用映像と、その駆動方法は、上記した第１実施形態と同じであるため、その詳しい説明を省略する。
【０１０１】
本実施形態においてランドスケープの立体映像を提供する場合、上記のように第３電極３４及び第４電極３６に、同じ電圧が印加されなければならない。しかし、図６のように、第４電極３６に電圧が印加されるとき、第４端子電極３６ｂでの電圧降下によって、第３電極３４に印加される電圧より低い電圧が、第４電極３６に印加される。
【０１０２】
したがって、本実施形態では、第４端子電極３６ｂの幅（ｗ９）を第３電極３４及び第４電極３６の幅（ｗ１０、ｗ１１）より大きく形成して、電気抵抗を減少させることができる。電気抵抗が減少する原理については、上記の第１実施形態における、第１端子電極１４ｂの場合と同じであるため、その詳しい説明は省略する。
【０１０３】
（第６の実施形態）
次に、本発明の第６の実施形態に係る立体映像表示装置について説明する。本実施形態による立体映像表示装置は、第４端子電極３６ｂを、第３電極３４及び第４電極３６より低い比抵抗（ρ）を有する金属、例えば、Ａｇ、Ｃｕのような金属で形成する。また、かかる比抵抗の低い金属を使用することにより、第４電極に印加される電圧の電圧降下を防止する。本第６実施形態の電圧を下げる原理及び構成については、第２実施形態の原理及び構成と同様又は類似しているため、詳しい説明は省略する。
【０１０４】
（第７の実施形態）
次に、本発明の第７の実施形態に係る立体映像表示装置について説明する。図示しなかったが、本実施形態による立体映像表示装置は、第３連結電極３４ａの幅を第４連結電極３６ａの幅より小さく形成して、第３電極に印加される電圧を下げる構成である。本第７実施形態の電圧を下げる原理及び構成については、第３実施形態の原理及び構成と同様又は類似しているため、詳しい説明は省略する。
【０１０５】
本発明の第６及び第７実施形態による立体映像表示装置の他の構成は、前述した第５実施形態の構成と同じであるため、その詳しい説明は省略する。
【０１０６】
（第８の実施形態）
次に、図示しないが、本発明の第８の実施形態に係る立体映像表示装置について説明する。本実施形態による立体映像表示装置は、第３連結電極３４ａに、電圧が印加される経路を増加させて電圧降下を起こす、補助連結電極（第３補助連結電極）を設置して、第３電極３４及び第４電極３６に印加される電圧を同一に維持できる。本第８実施形態の電圧を下げる原理及び他の構成については、第４実施形態の原理及び構成と同様又は類似しているため、詳しい説明は省略する。（ただし、第３補助連結電極は、第２補助連結電極に対応する。）
【０１０７】
また、第３電極と第４電極とに印加される電圧差をより微細に調整するために、第５〜第８実施形態で説明した第４端子電極の電気抵抗を低くする方法と第３連結電極の電気抵抗を高める方法とを同時に適用することも可能である。
【０１０８】
すなわち、第５実施形態で説明したように、第４端子電極の電極幅を大きくして第４電極に印加される電圧の電圧降下を防止しながら、第８実施形態で説明したように、第２連結電極が第３補助連結電極を含むことによって第４電極に印加される電圧を下げられる。上記構成によって第３電極及び第４電極に印加される電圧間の差をさらにすくなるすることができる。
【実施例】
【０１０９】
以下で、本発明の実施形態の効果を調べるため、実施例及び比較例の実験結果を示し、当該結果の比較結果について説明する。
【０１１０】
（実施例）
実施例に係るパララックスバリアは、第１端子電極１４ｂを第１電極１４及び第２電極１６と同系統の物質で形成し、第１電極１４及び第２電極１６の幅の３．３９６倍の幅で形成した。また、当該パララックスバリアは、第２連結電極１６ａに本発明の第４実施形態に示した補助連結電極１６６ａを備えて、電気抵抗を増加させた。上記パララックスベリアを製作して、サンプリング時間による相対的透過輝度を測定した。（本発明の第１実施形態及び第４実施形態を合わせたの実施例）
【０１１１】
この場合、第１電極と第２電極は、インジウム錫酸化物で形成し、その幅は互いに同一である。
【０１１２】
（比較例）
比較例に係るパララックスバリアは、第１電極１４及び第２電極１６をインジウム錫酸化物で形成し、各電極の幅は互いに同じに形成した。また、第１端子電極１４ｂは、第１電極１４及び第２電極１６と同系統の物質で形成し、第１電極１４及び第２電極１６の幅と同じ幅で形成した。また、第２連結電極１４には補助電極１６６ａを備えなかった。他の条件は実施例と同一にした。
【０１１３】
図７ａ及び図７ｂは、各々の比較例と実施例で測定した、サンプリング時間による第１電極１４及び第２電極１６での透過輝度（透過率、すなわち、照射輝度に対する透過輝度の割合）を示すグラフである。
【０１１４】
図７ａに示すように、比較例によるパララックスバリアでは、サンプリング時間により第１電極１４と第２電極１６とでの輝度差が生じたことが分かる。
【０１１５】
しかし、図７ｂのように、実施例では、第１端子電極１４ｂの幅を、第１電極及び第２電極の幅より、大きく形成することによって、第１電極１４と第２電極１６との透過度の差が、著しく減少したことが分かる。
【０１１６】
下記の表１では、第１電極１４及び第２電極１６に印加される電圧を測定して、その結果を表示した。
【０１１７】
【表１】
0005255755.tif 000002
【０１１８】
このように、同じ電圧（印加電圧−１．０Ｖ）を印加する場合、実施例で第１電極と第２電極との間の電圧差が、著しく減少したことが分かる。
【０１１９】
よって、本発明の実施形態に係る立体映像表示装置は、立体映像表示装置の時分割駆動時に、各電極が位置する当該部位で同じ光透過度を維持させることができる。すなわち、本発明の実施形態に係る立体映像表示装置は、液晶シャッターで構成されるパララックスバリアの電極構造を改善することにより、時分割方式を使って高画像度の立体映像を表示しながらも、電極の経路差に応じた電圧降下による立体映像画質の低下を防止できる。
【０１２０】
また、本発明の実施形態による立体映像表示装置では、左眼用映像及び右眼用映像が、時分割されて駆動することができる。
【０１２１】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【０１２２】
本発明は、立体映像表示装置に適用可能であり、特にパララックスバリアを使用するオートステレオスコピ方式の立体映像表示装置に適用可能である。
【図面の簡単な説明】
【０１２３】
【図１】本発明の第１実施形態に係る立体映像表示装置の断面図である。
【図２】同実施形態に係るパララックスバリアの第１電極及び第２電極の構造を示す平面図である。
【図３Ａ】同実施形態に係るイメージ表示部の第１期間（ｔ１）での、ピクセル配列を示す概略図である。
【図３Ｂ】同実施形態に係るイメージ表示部の第２期間（ｔ２）での、ピクセル配列を示す概略図である。
【図４】本発明の第３実施形態に係るパララックスバリアの第１電極及び第２電極の構造を示す平面図である。
【図５】本発明の第４実施形態に係るパララックスバリアの第１電極及び第２電極の構造を示す平面図である。
【図６】本発明の第５実施形態に係るパララックスバリアの第３電極及び第４電極の構造を示す平面図である。
【図７Ａ】本発明の比較例に係る電極構造における透過輝度を測定した結果を示すグラフである。
【図７Ｂ】本発明の実施例に係る電極構造における透過輝度を測定した結果を示すグラフである。
【符号の説明】
【０１２４】
１００      イメージ表示部
２００      パララックスバリア
１０        第１基板
１２        第２基板
２２        液晶層
２４        偏光板
１８        共通電極
１４、１４’、１４’’      第１電極
１６、１６’、１６’’      第２電極
１４ａ、１４４ｂ            第１連結電極
１４ｂ、１４２ｂ            第１端子電極
１４ｃ                      第１連結端子
１６ａ、１６２ａ、１６４ａ  第２連結電極
１６ｃ      第２連結端子
３０        第１ピクセル
３２        第２ピクセル
１６６ａ    補助連結電極
３４        第３電極
３６        第４電極
３４ａ      第３連結電極
３４ｃ      第３連結端子
３６ａ      第４連結電極
３６ｂ      第４端子電極
３６ｃ      第４連結端子
【図１】
0005255755.tif 000003
【図２】
0005255755.tif 000004
【図３Ａ】
0005255755.tif 000005
【図３Ｂ】
0005255755.tif 000006
【図４】
0005255755.tif 000007
【図５】
0005255755.tif 000008
【図６】
0005255755.tif 000009
【図７Ａ】
0005255755.tif 000010
【図７Ｂ】
0005255755.tif 000011